(57)【要約】【課題】従来の子供用歯ブラシにおけるメロディ−や音声を発する仕組みを設けたものはコスト高であるので、安価にして様々な飾りに簡単に取り替えて楽しめる飾り付き歯ブラシを提供する。【解決手段】歯ブラシ２の柄３の後端部に、その柄３の大きさや形状に合う適度な深さのキャップ４を軟質合成樹脂素材で形成した上面に、キャラクタ−やフィギアなどの飾り体５を取り付けてなるキャップ４を、前記する歯ブラシ２の柄３の端部に差し込んで成る飾り付き歯ブラシ１を構成する【選択図】図１
0003128548.tif 000002
【実用新案登録請求の範囲】
【請求項１】
歯ブラシの柄に飾りを取り付けたものであって、前記する歯ブラシの柄の後端部に取り付けたキャラクタ−などの飾り体が、前記する柄に着脱自在に取り付けられる構成を特徴とする飾り付き歯ブラシ。
【請求項２】
上記する歯ブラシの柄と飾り体の取り付け手段が、一方に設けたキャップに係合する請求項１に記載する飾り付き歯ブラシ。
【請求項３】
上記する歯ブラシの柄と飾り体の取り付け手段が、磁石で係合する請求項１に記載する飾り付き歯ブラシ。
【請求項４】
上記する歯ブラシの柄と飾り体の取り付け手段が、ネジで係合する請求項１に記載する飾り付き歯ブラシ。
【考案の詳細な説明】
【技術分野】
【０００１】  本考案は、歯ブラシの柄に取り付けた飾り体を、好みのものに自在に取り替えて楽しみながら使える歯ブラシに関する。
【背景技術】
【０００２】  従来、特に子供の歯磨きが楽しくできるように、メロディ−や音声など流れる歯ブラシ等があり、その一つに、幼児期の子供が歯磨きの習慣が身に付くように歯を磨く際に音が鳴り、かつ柄の端部に飾りが付いた歯ブラシがある。（例えば、特許文献１参照）【０００３】  さらに大人や子供を問わず歯磨きを楽しみながらできるように、一定時間メロディ−が流れたり発光することで、十分に歯磨きを実行できる歯磨き励行型の歯ブラシの技術もある（例えば、特許文献２参照）
【特許文献１】実開平６−８４９３０公報
【特許文献２】登録実用新案公報第３０５８６９３号
【考案の開示】
【考案が解決しようとする課題】
【０００４】  上記する実開平６−８４９３０公報による歯ブラシは、子供が楽しく歯を磨く習慣が身に付くように音が鳴ったり飾りが付いた、音が出る飾り付き歯ブラシの技術である。しかし、そのために歯ブラシ本体の中に鈴などの発音体を入れたり、その柄の端部に飾り体を固定しているが、子供用の歯ブラシの柄は細いので中に発音体を入れるにはかなり小さい物でなければならないので、結果、発音体の音は小さくなって効果は薄いうえ、製造するにも大変である。加えて、柄の端部に付ける飾りは固定しているので、飾りに飽きた場合飾りのみ取り替えられないので、好みの飾りを選ぶにはまだ使える歯ブラシでも、再度歯ブラシを購入しなければならないため不経済になるなどの不便や欠点がある。【０００５】  また、登録実用新案公報第３０５８６９３号による技術は、歯磨きを開始すると一定時間メロディ−や光りを放つことにより、歯磨きを楽しみながら行える歯磨き励行型歯ブラシであるが、その構成は、歯ブラシの本体の細い柄の部分に、電池や振動センサ、圧力センサ、光源、回路など設けた複雑な構成であるのでコスト高となることは避けられず、また水洗いする必要のある物としては故障要因も多くなるとともに、電池が無くなった時は機能も作動せず、小さな特殊な電池を入れ替えるにも面倒である。さらに歯ブラシが古くなった際はメロディ−や音声などの機能が正常でも使い捨てとなるので、省資源に寄与する歯ブラシとは言えないなどの不便や欠点があった。
【課題を解決するための手段】
【０００６】  上記するような不便や欠点を解消するために、請求項１においては、歯ブラシの柄の端部に取り付けたキャラクタ−などの飾り体が、前記する柄に着脱自在に取り付けた飾り付き歯ブラシとすることで、子供が愛着をもって楽しく歯磨きをする習慣が身に付くとともに、好みの飾り体に取り替えて使うことができる歯ブラシとする。【０００７】  請求項２においては、上記する歯ブラシの柄と飾り体の取り付け手段を、嵌め込み式のキャップで係合することで、飾り体を簡単に抜き差しできる。【０００８】  請求項３においては、上記する歯ブラシの柄と飾り体の取り付け手段を、磁石で簡単に係合できるものとする。【０００９】  請求項４においては、上記する歯ブラシの柄と飾り体の取り付け手段を、ネジで係合することで、さらに強固に取り付けられるものとする。
【考案の効果】
【００１０】  本考案による歯ブラシは、柄の後端部にキャラクタ−やフィギア、おもちゃなどの飾りが簡単に取り付けられるので、子供が喜ぶような楽しい歯ブラシを形成する。しかも飾り体は取り外しが容易にできるので、その日の気分によって好みの飾りに取り替えて使うこともできるため、毎日の歯磨き習慣を楽しみながら身に付かせることができるうえ、子供が多い家庭であっても飾りの違いで自分の歯ブラシを選ぶことも容易である。【００１１】  加えて、いずれの実施形態も飾り体は簡単に取り外せるので、好みの飾り体のみ購入して使うこともでき、また歯ブラシが古くなって捨てても、お気に入りの飾り体を次に購入した歯ブラシに組み合わせて使うこともできるなど、従来には見られないユニ−クな飾り付き歯ブラシを提供できる。また、親の歯ブラシにも子供と同じ飾りを付けて一緒に歯磨きを楽しむことができるとともに、子供のみならず学生や若い女性など大人でも楽しめる飾り付き歯ブラシとして使える。
【考案を実施するための最良の形態】
【００１２】  以下、本考案の最良の実施形態を図面に基づいて説明する。【００１３】  本考案の飾り付き歯ブラシの第１の実施形態を図１に示す分解斜視図で説明する、図１に示す飾り付き歯ブラシ１は、歯ブラシ２の柄３の後端部に、その柄３の大きさや形状に合う適度な深さのキャップ４を軟質合成樹脂素材で形成した上面に、キャラクタ−やフィギアなどの飾り体５を取り付けたキャップ４を、前記する歯ブラシ２の柄３の端部に差し込んで成る飾り付き歯ブラシ１を構成する。尚、歯ブラシ２の端部に取り付けるキャップ４は、容易に抜けにくいように柄３にきつく嵌るようにするとよい。【００１４】  図１に示す飾り付き歯ブラシ１は、柄３の後端部に飾り体５付きキャップ４を差し込むだけで、簡単に子供が喜ぶ洒落た飾り付き歯ブラシ１とすることができる。またキャップ４は簡単に取り外しできるので、気分によって他の飾り体５に取り替えたり、新しい歯ブラシ２を購入してもそのままお気に入りの飾り体５を使うこともできるうえ、お気に入りの飾り体５を単独に購入して楽しむこともできる。【００１５】  次に、本考案の第２の実施形態を図２に示す分解斜視図で説明する。図２に示す飾り付き歯ブラシ１は、歯ブラシ２の柄３の後端部に磁石６を取り付けるとともに、その端部に嵌るキャップ４の内側に磁性板７を設けた飾り体５を、前記する歯ブラシ２の柄３に組み合わせた飾り付き歯ブラシ１を構成する。尚、歯ブラシ２の柄３は一般的な平板状で、かつ掛け穴８が設けられた歯ブラシ１を採用している。【００１６】  図２においては、飾り体５が付いたキャップ４を歯ブラシ２の柄３の端部に差し込むと、柄３の磁石６とキャップ４の磁性板７が吸着することで容易に取り付けられる。尚、磁石６は柄３に、磁性板７はキャップ４側であるが反対に取り付けてもよいし、両方とも磁石でも差し支えない。また柄３には掛け穴８を設けているので飾り体５付きでもフックに掛け留められる。【００１７】  さらに、本考案の第３の実施形態を図３に示す分解斜視図で説明する。図３に示す飾り付き歯ブラシ１は、歯ブラシ２の柄３の後端部に雄ネジ９を施すとともに、それに嵌るキャップ４の内側に雌ネジ１０を設けた飾り体５を、前記する歯ブラシ２に組み合わせて成る飾り付き歯ブラシ１を構成する。【００１８】  図３においては、歯ブラシ２の柄３と飾り体５のキャップ４がネジ嵌合するので、簡単に抜けたり分離する心配はない。また、このタイプの場合も雄ネジ９と雌ねじ１０を逆に設けてもよい。【００１９】  本考案の実施形態における歯ブラシ２と飾り体５の連結手段は、いずれも歯ブラシ２の外側に飾り体５が付いたキャップ４が嵌る形状であるが、キャップ４は歯ブラシ２の柄３に設け、それに飾り体５を差し込んで連結する方法でもよい。また飾り体５は単なる人形やキャラクタ−や動物など図示しているが、これ以外におもちゃや他の飾りでもよいし、また飾り体５が発光したりメロディ−を発したり、タイマ−など組み込んだり、動作が可能な飾りであっても差し支えない。加えて、歯ブラシ２はメロディ−や音声が出る仕組みの歯ブラシ２でも構わない。さらに実施形態２に示す歯ブラシ２の柄３には掛け穴８を設けているが、他の実施態様に採用してもよく、い��れも特に限定されるものではない。
【図面の簡単な説明】
【００２０】
【図１】本考案の飾り付き歯ブラシの第１実施形態を示す分解斜視図である。
【図２】本考案の飾り付き歯ブラシの第２実施形態を示す分解斜視図である。
【図３】本考案の飾り付き歯ブラシの第３実施形態を示す分解斜視図である。
【符号の説明】
【００２１】１  飾り付き歯ブラシ
２  歯ブラシ
３  柄
４  キャップ
５  飾り体
６  磁石
７  磁性板
８  掛け穴
９  雄ネジ
１０  雌ネジ
【図１】
0003128548.tif 000003
【図２】
0003128548.tif 000004
【図３】
0003128548.tif 000005